(57)【要約】【課題】録画予約などで、ユーザが記録を指示したにもかかわらず、ユーザが指定したコンテンツを著作権保護のために記録しなかったとき、再生時にユーザが記録されていない理由を明確に知ることができるようにすることが可能な記録再生装置を提供する。【解決手段】コンテンツに関する情報内の著作権情報に従ってコンテンツの複製や記録を禁止するか否かを判定する判定手段２の判定結果に従い、記録を実行しなかった場合、コンテンツに関する情報に「著作権保護のため記録しなかった」旨を再生時に表示するための非記録表示信号を記録する手段３（ステップＳ４）を設けた。【選択図】図２
2008252577.tif 000002
【特許請求の範囲】
【請求項１】
コンテンツの記録と再生が可能な記録再生用の装置であって、記録するコンテンツに関する情報を記憶、再生することが可能で、前記情報内の著作権情報に従ってコンテンツの複製や記録を禁止するか否かを判定する判定手段と、前記判定手段による判定結果を受けて、記録の実行・非実行を制御する制御手段とを有する記録再生装置において、
ユーザからのコンテンツ記録指示があったにもかかわらず、前記判定手段の判定結果に従い、記録を実行しなかった場合、前記情報に「著作権保護のため記録しなかった」旨を再生時に表示するための非記録表示信号を記録する手段を有することを特徴とする記録再生装置。
【請求項２】
前記非記録表示信号を認識する認識手段と、
前記認識手段により前記非記録表示信号が認識されたとき、「著作権保護のため記録しなかった」旨を再生時に文字表記及び／又は所定のシンボルマーク及び符号を含む記号により表示するよう制御する表示制御手段とを、
含む請求項１に記載の記録再生装置。
【発明の詳細な説明】
【技術分野】
【０００１】
本発明は、記録再生装置に関し、特にデジタル放送などで提供されるコンテンツであって、著作権保護のために記録を禁止するとされたコンテンツをユーザが記録しようとしたときに有用な記録再生装置に関する。
【背景技術】
【０００２】
従来から、著作権が主張され、記録や複製に制限を設けた放送などのコンテンツ保護技術が提供されている。近年、デジタル放送などの普及により、下記の非特許文献１に示されるように、著作権が主張され複製や記録自体に制限が設けられたコンテンツが一般的に増加している。
【０００３】
これらを記録再生する装置において、完全に複製が禁止されているようなコンテンツの記録を扱う場合は、
（１）下記の特許文献１に記載されているように、「著作権が主張されているため録画できない」旨を表示して、記録は実行しない。
（２）記録は実行しても、そのコンテンツは、再生時に「再生できない」旨を表示して再生しない。
などの対応をとることが、著作権の保護のために必須であった。
【特許文献１】特開平１１−１９６３６７公報（要約、図４）
【非特許文献１】ARIB STD-B10
【発明の開示】
【発明が解決しようとする課題】
【０００４】
放送番組などのコンテンツを記録しようとした場合に、その記録の対象となるコンテンツに著作権が主張され、複製が完全に禁止されている場合にはその記録は実行されない。特許文献１に記載の技術では、記録しようとする時点においては、非記録の理由をユーザに提示することが可能である。しかしながら、ユーザがこの提示を十分認識していないと記録自体が実行されていないのであるから、後からは「どうして記録が実行されなかった」のか、その理由が不明となってしまうことが課題であった。
【０００５】
具体的に使用例を用いて上記課題を示す。デジタル放送のコンテンツをＥＰＧの機能を利用して予約する場合には、従来の技術でも、放送事業者より送られている番組配列情報（ＳＩ情報）に含まれているイベント情報（ＥＩＴ：ＡＲＩＢ規格に規定されている番組名称、放送時間、番組内容などを示すテーブル情報）を取得して参照することで、番組の記録を予約する時点で、対象となる番組コンテンツに著作権が主張され記録禁止であることが判断可能であり、実際に市場で販売されている記録再生する装置にも、ＥＰＧを用いた記録の予約登録の画面でユーザに「記録禁止の警告」を表示する機能が搭載されている。
【０００６】
しかしながら、例えば外部に接続したデジタルチューナなどでコンテンツを受信して、その出力信号を別の記録再生装置で同期して記録するような使い方で、ＥＰＧ機能を用いずに記録する日時と時間などを指定するような予約を行った場合や、ＥＰＧの予約機能を用いた場合であっても、本来録画禁止であるにもかかわらずＳＩ情報が事前に送られていないような場合やＥＩＴ情報に著作権に関する規定が対応されていなかった（ＡＲＩＢ規格では、放送事業者のＥＩＴ送出の運用は必須ではなく任意として規定されている）場合、又は、予約を行った後に、該当のコンテンツの著作権の取り扱いが記録禁止に変更になったような場合を想定すると、これらの場合は、いずれも予約の時点でのコンテンツは記録禁止ではなく、ユーザは記録の予約を完了することで当該コンテンツの記録が実行されていると思いこんでいるが、実際に記録する時点で記録禁止が判明し記録が実行されないといった事例になる。
【０００７】
記録再生装置のユーザは、予約して記録を行う場合は実際の記録時にはその内容を確認（視聴）していないといったことが考えられ、そのような場合には、特許文献１の技術を使用して非記録の理由を表示しても効果は得られない。そして、後からでは記録を試みたコンテンツの非録画の理由が放送信号にあるのか、記録再生装置の故障などにあるのかが全く不明となり、そのため深刻な場合は、使用している記録再生装置に対して「誤動作」や「故障」などを生じたとの不信感を持ってしまうといった課題がある。
【０００８】
一方、記録が完全に禁止されたコンテンツでも、通常の記録自体は実行して、再生時に記録されている映像信号や情報を基に「再生はできない」旨を表示して、再生を実施しない技術の場合、後から非記録（厳密には記録自体は行っていて非再生である）の理由を判断することができ、非再生の理由を「著作権保護の対応の為」であると表示することも可能で、「後から非記録の理由が不明になる」といった課題は解決できる。しかしながら、この技術の場合は、記録禁止のコンテンツである場合にも記録装置の記録容量を通常の記録と同様に消費してしまうという別の課題が発生してしまう。
【０００９】
したがって、本発明は録画予約などで、ユーザが記録を指示したにもかかわらず、ユーザが指定したコンテンツを著作権保護のために記録しなかったとき、再生時にユーザが記録されていない理由を明確に知ることができるようにすることを目的とする。
【課題を解決するための手段】
【００１０】
上記目的を達成するため、本発明は録画予約など、ユーザが記録を指示したにもかかわらず、ユーザが指定したコンテンツを著作権保護のために記録しなかったときは、再生時にその旨を表示するための信号を記録するようにした。
【００１１】
すなわち、本発明によれば、コンテンツの記録と再生が可能な記録再生用の装置であって、記録するコンテンツに関する情報を記憶、再生することが可能で、前記情報内の著作権情報に従ってコンテンツの複製や記録を禁止するか否かを判定する判定手段と、前記判定手段による判定結果を受けて、記録の実行・非実行を制御する制御手段とを有する記録再生装置において、
ユーザからのコンテンツ記録指示があったにもかかわらず、前記判定手段の判定結果に従い、記録を実行しなかった場合、前記情報に「著作権保護のため記録しなかった」旨を再生時に表示するための非記録表示信号を記録する手段を有することを特徴とする記録再生装置が提供される。
【発明の効果】
【００１２】
本発明による、記録対象のコンテンツが「著作権の保護が主張されて記録が禁止されたコンテンツ」である場合、それが原因で記録を実行しなかった場合に、その理由を記憶（請求項１に記載）しておき、その理由を記録後の任意の時点で認知して提示する（請求項２に記載）ことで、ユーザが記録の結果を確認しようとする、記録実行後の任意の時点において、非記録の理由を知ることができるという効果を得ることができる。
【発明を実施するための最良の形態】
【００１３】
＜実施の形態１＞
本発明の記録再生装置の好ましい実施の形態について図面を参照しながら説明する。図１は本発明の記録再生装置の好ましい実施の形態の構成を示すブロック図である。図１の記録再生装置は、映像・音声信号入力部１、著作権情報検出部２、記録処理部３、再生処理部４、映像・音声信号出力部５、映像出力信号に重畳するオンスクリーン表示画面の信号を生成する表示処理部６を有している。記録媒体７は、記録処理部３と再生処理部４によりデジタル放送などで提供される映像・音声などからなるコンテンツを記録し再生するためのものである。
【００１４】
以上のように構成された記録再生装置の動作を説明する。
本発明の実施の形態の記録時の動作を、図２のフローチャートに沿って説明する。記録しようとするコンテンツの著作権保護の対応は、入力された映像・音声信号に著作権保護の信号又は情報が含まれているか否かを図２の著作権情報検出部２で検出することで判断できる（ステップＳ１〜ステップＳ３）。コンテンツにコピー禁止が対応されている場合、記録は記録処理部３により停止される。この場合、録画開始時間、録画チャンネルや番組のタイトル名といった、ユーザがその番組を後から特定できるような基本的な番組情報と、「著作権保護のため記録しなかった」あるいは「著作権保護の対象コンテンツのために記録を実行しなかった」という非記録認識情報とを関連付けた上で記録媒体７に記録する(ステップＳ４〜ステップＳ６)。
【００１５】
この非記録番組情報を記憶する方法には、（１）その情報のみを独立して記憶し、別の情報とリンクするための手段をもたせる方法、（２）もともとの番組情報の一部として記憶する方法、の双方が提供できるが、ここでは（２）の記憶方法（図２を参照）を採用している。
【００１６】
次に、本発明の実施の形態での再生時の動作を、図３のフローチャートに沿って説明する。再生は記録媒体７からコンテンツ関連情報を読み出し、図４に示す再生するコンテンツを選択・指定するための表示画面（再生ナビゲーション画面のタイトル名一覧）で選ぶことによって行う。図４及び後述する図５において、「△△△」や「○○○・・・」は、番組名やタイトルを示す文字列である。従来の装置では、この画面には再生が可能なコンテンツが表示されていたが、本発明では、さらにこの画面に著作権保護のため記録しなかったコンテンツも、正常に記録された通常のコンテンツと同じように同一画面で表示している。同一画面で表示することにより、ユーザに対して、特別な操作を要求することなく記録されなかったコンテンツを効果的に示すことができる。図４及び図５において、白抜き矢印は、本発明で追加することができるようになった表示である。
【００１７】
なお、図４に示すように、著作権保護のため記録しなかったコンテンツは、画面に表示する色や内容を変えて、正常に記録された通常のコンテンツとは容易に区別できるように工夫することは好ましい態様である。また、独特なシンボルなどを表示して区別がつくように対応することも、効果的である。
【００１８】
著作権保護のため記録しなかったコンテンツの場合は、選択はできても再生はできないような対応をとる必要がある。図４の表示例では、選択することが可能な例を示しているが、勿論、表示はするが再生するための選択ができないように対応することも可能である。
しかし、著作権保護のため記録しなかったコンテンツも、正常に記録された通常のコンテンツと同じように削除することができなければならないし、再生するコンテンツを選択・指定のための表示画面で一度表示したら、自動的に削除することもできる。
【００１９】
＜実施の形態２＞
実施の形態１に記載した記録手段を用いて著作権保護されて記録が禁止されたコンテンツの「著作権保護の対象コンテンツのために記録を実行しなかった」という非記録認識情報を記録した装置において、再生コンテンツの選択・指定を行うための表示手段として、図５に示すようにサムネイル一覧を表示する場合、記録が禁止されているコンテンツのサムネイル自体を表示することには著作権保護上問題がある。また、もともとの映像・音声信号は記録されていないため、図５に例を示すように、「著作権保護のため記録しなかった」旨を示す特別なシンボルを表示することも効果的である。
【産業上の利用可能性】
【００２０】
本発明の記録再生装置は、上記説明のように構成されているので、例えばデジタル放送で提供される番組コンテンツを記録再生する記録再生に適用可能である。
【図面の簡単な説明】
【００２１】
【図１】本発明の記録再生装置の好ましい実施の形態の構成を示すブロック図である。
【図２】本発明の記録再生装置の実施の形態における記録時の動作を説明するための、フローチャートである。
【図３】本発明の記録再生装置の実施の形態における表示の動作を説明するための、フローチャートである。
【図４】本発明の記録再生装置の実施の形態における表示例（タイトル一覧の表示例）である。
【図５】本発明の記録再生装置の実施の形態における表示例（サムネイル一覧の表示例）である。
【符号の説明】
【００２２】
１  映像・音声信号入力部
２  著作権情報検出部（判定手段）
３  記録処理部（制御手段、非記録表示信号を記録する手段）
４  再生処理部（認識手段、表示制御手段）
５  映像・音声信号出力部
６  表示処理部
７  記録媒体
【図１】
2008252577.tif 000003
【図２】
2008252577.tif 000004
【図３】
2008252577.tif 000005
【図４】
2008252577.tif 000006
【図５】
2008252577.tif 000007